(57)【要約】【課題】  類の異なる測定装置又はサンプリング周期の異なる測定装置で測定された測定データを同一の時間軸で表示することができる測定装置、測定データ表示システム、及び測定データの表示方法を提供する。【解決手段】  測定データをパーソナルコンピュータの表示手段に表示する測定装置において、  測定データを取得するデータ取得手段と、  前記データ取得手段で取得した測定データにヘッダ情報を付加するヘッダ情報付加手段を備え、  前記パーソナルコンピュータはこのヘッダ情報に基づいて前記表示手段に測定データを表示する。  【選択図】                    図１
2007121011.tif 000002
【特許請求の範囲】
【請求項１】
測定データをパーソナルコンピュータの表示手段に表示する測定装置において、
測定データを取得するデータ取得手段と、
前記データ取得手段で取得した測定データにヘッダ情報を付加するヘッダ情報付加手段を備え、
前記パーソナルコンピュータはこのヘッダ情報に基づいて前記表示手段に測定データを表示することを特徴とする測定装置。
【請求項２】
前記ヘッダ情報付加手段は、少なくともサンプリング周期、データ取得の開始時刻、データ取得の終了時刻に関する情報を含むヘッダ情報を測定データに付加することを特徴とする請求項１記載の測定装置。
【請求項３】
複数の測定装置で取得した測定データをパーソナルコンピュータの表示手段に表示する測定データ表示システムにおいて、
複数の前記測定装置は、
測定データを取得するデータ取得手段と、
前記データ取得手段で取得したデータにヘッダ情報を付加するヘッダ情報付加手段を備え、
前記パーソナルコンピュータは、
入力された測定データのヘッダ情報に基づいて前記表示手段に対して測定データの表示方法の指示を与える表示指示手段を備えることを特徴とする測定データ表示システム。
【請求項４】
前記ヘッダ情報付加手段は、少なくともサンプリング周期、データ取得の開始時刻、データ取得の終了時刻に関する情報を含むヘッダ情報を測定データに付加することを特徴とする請求項３記載の測定データ表示システム。
【請求項５】
ヘッダ情報が付加された測定データを所定の拡張子を付加してセーブする保存手段を備え、前記表示指示手段はこの拡張子を識別して前記表示手段に対して測定データの表示方法の指示を与えることを特徴とする請求項３又は４記載の測定データ表示システム。
【請求項６】
複数の測定装置で取得した測定データをパーソナルコンピュータの表示手段に表示する測定データの表示方法において、
複数の前記測定装置に備えられたデータ取得手段が測定データを取得する第１のステップと、
複数の前記測定装置に備えられたヘッダ情報付加手段が前記データ取得手段で取得したデータにヘッダ情報を付加する第２のステップと、
前記パーソナルコンピュータに備えられた表示指示手段が、入力された測定データのヘッダ情報に基づいて前記表示手段に対して測定データの表示についての指示を与える第４のステップ
から構成される測定データの表示方法。
【請求項７】
前記ヘッダ情報は、少なくともサンプリング周期、データ取得の開始時刻、データ取得の終了時刻に関する情報を含むことを特徴とする請求項６記載の測定データの測定方法。
【発明の詳細な説明】
【技術分野】
【０００１】
本発明は、２以上の測定装置で取得された測定データをパーソナルコンピュータに表示する測定装置、測定データ表示システム、及び測定データの表示方法に関し、特に、種類の異なる測定装置又はサンプリング周期の異なる測定装置で測定された測定データを同一の時間軸で表示することができる測定装置、測定データ表示システム、及び測定データの表示方法に関する。
【背景技術】
【０００２】
一般に、例えば自動車の開発にあたってはメーカで評価試験が行われる。この評価試験は用途に応じた各種測定装置が使用されるが、評価項目・評価対象も多岐に亘る。例えば、比較的変化が緩やかな多点の温度上昇を測定する場合には、サンプリング速度の遅い（例えば２０ｋＨｚ）多点レコーダを用いて評価試験を行う。
【０００３】
一方、エンジンの様な振動の周波数が高い部品の場合は、測定データが急激に変化する場合があるので、オシロスコープ等のサンプリング速度が速い（例えば１ＧＨｚ）測定装置が必要とされる。このため、自動車の評価試験一つとっても、複数の測定装置を同時に使用しそれぞれの測定装置でデータを取り込む必要が生じる。このような、測定装置を示した先行技術文献としては次のようなものがある。
【０００４】
【特許文献１】特開平０１−１８２７２２号公報
【０００５】
【特許文献２】特開平０３−１６２６７８号公報
【０００６】
以下、従来の測定装置について図５を参照して説明する。図５は、二種類の測定装置を用いて被測定対象である自動車の評価試験を行う図面の説明図である。測定データ表示システム１は、測定装置１０、測定装置２０、被測定対象３０、パーソナルコンピュータ４０からなる。
【０００７】
測定装置１０は、比較的サンプリング速度が緩やかな測定装置であり、例えば多点レコーダが使用される。これに対して、測定装置２０はサンプリング速度が速いオシロスコープの様な測定装置であり、エンジンの様な振動周波数が高い部品の測定に適している。
【０００８】
被測定対象３０は自動車であり、エンジン３１は振動の周波数が高い。パーソナルコンピュータ４０は図示しない表示手段を備え、測定装置１０、測定装置２０から図示しない可搬型外部記憶装置を介して入力された温度データや波形データ等の測定データを表示する。
【発明の開示】
【発明が解決しようとする課題】
【０００９】
ところで、評価試験の種類や態様によっては、早いサンプリング速度で測定される部品に生じた変化が、遅いサンプリング速度で測定される部品に対し、どのような影響を与えるか知りたい場合がある。このためには、サンプリング速度が異なる２種以上のデータを揃えて比較するのが望ましい。
【００１０】
しかしながら従来の測定データ表示システムは、パーソナルコンピュータ４０の表示手段を用いて測定データを解析する場合、各測定装置１０、２０間には、測定されたデータを相対的に表示するための”測定データの取得時刻”に関する情報が存在していないので、複数の測定装置のデータを同一時間軸上に揃えて表示することができず、各測定データの相関関係をみることができなかった。
【００１１】
本発明は、この問題点に鑑みてなされたものであり、種類の異なる測定装置又はサンプリング周期の異なる測定装置で測定された測定データを同一の時間軸で表示することができる測定装置、測定データ表示システム、及び測定データの表示方法を提供することを目的とする。
【課題を解決するための手段】
【００１２】
このような課題を達成するために請求項１記載の発明は、
測定データをパーソナルコンピュータの表示手段に表示する測定装置において、
測定データを取得するデータ取得手段と、
前記データ取得手段で取得した測定データにヘッダ情報を付加するヘッダ情報付加手段を備え、
前記パーソナルコンピュータはこのヘッダ情報に基づいて前記表示手段に測定データを表示する。
【００１３】
また、請求項２記載の発明は、請求項１記載の発明において、
前記ヘッダ情報付加手段は、少なくともサンプリング周期、データ取得の開始時刻、データ取得の終了時刻に関する情報を含むヘッダ情報を測定データに付加する。
【００１４】
また、請求項３記載の発明は、
複数の測定装置で取得した測定データをパーソナルコンピュータの表示手段に表示する測定データ表示システムにおいて、
複数の前記測定装置は、
測定データを取得するデータ取得手段と、
前記データ取得手段で取得したデータにヘッダ情報を付加するヘッダ情報付加手段を備え、
前記パーソナルコンピュータは、
入力された測定データのヘッダ情報に基づいて前記表示手段に対して測定データの表示方法の指示を与える表示指示手段を備える。
【００１５】
また、請求項４記載の発明は、請求項３記載の発明において、
前記ヘッダ情報付加手段は、少なくともサンプリング周期、データ取得の開始時刻、データ取得の終了時刻に関する情報を含むヘッダ情報を測定データに付加する。
【００１６】
また、請求項５記載の発明は、請求項３又は４記載の発明において、
ヘッダ情報が付加された測定データを所定の拡張子を付加してセーブする保存手段を備え、前記表示指示手段はこの拡張子を識別して前記表示手段に対して測定データの表示方法の指示を与える。
【００１７】
また、請求項６記載の発明は、
複数の測定装置で取得した測定データをパーソナルコンピュータの表示手段に表示する測定データの表示方法において、
複数の前記測定装置に備えられたデータ取得手段が測定データを取得する第１のステップと、
複数の前記測定装置に備えられたヘッダ情報付加手段が前記データ取得手段で取得したデータにヘッダ情報を付加する第２のステップと、
前記パーソナルコンピュータに備えられた表示指示手段が、入力された測定データのヘッダ情報に基づいて前記表示手段に対して測定データの表示についての指示を与える第４のステップ
から構成される。
【００１８】
さらに、請求項７記載の発明は、請求項６記載の発明において、
前記ヘッダ情報は、少なくともサンプリング周期、データ取得の開始時刻、データ取得の終了時刻に関する情報を含む。
【発明の効果】
【００１９】
本発明では、次のような効果がある。
データ取得手段で取得した測定データにヘッダ情報を付加するヘッダ情報付加手段を備え、パーソナルコンピュータがこのヘッダ情報に基づいて表示手段に測定データを表示するので、種類の異なる測定装置又はサンプリング周期の異なる測定装置で測定された測定データを、パーソナルコンピュータで同一の時間軸に表示させることができる測定装置を提供することができる。
【００２０】
また、データ取得手段で取得したデータにヘッダ情報を付加し、このヘッダ情報に基づいて表示手段に対して測定データの表示方法の指示を与える表示指示手段を備えたので、種類の異なる測定装置又はサンプリング周期の異なる測定装置で測定された測定データを同一の時間軸で表示することができる測定データ表示システムを提供することができる。
【００２１】
さらに、保存手段が所定の拡張子を付けてヘッダ情報を付加し、表示指示手段がこの拡張子を識別してデータの表示方法を決定するので、測定データを迅速に表示することができる。
【００２２】
また、複数の測定装置に備えられたヘッダ情報付加手段がデータ取得手段で取得したデータにヘッダ情報を付加し、パーソナルコンピュータに備えられた表示指示手段が、ヘッダ情報に基づいて表示手段に対して測定データの表示方法の指示を与えるので、種類の異なる測定装置又はサンプリング周期の異なる測定装置で測定された測定データを同一の時間軸で表示することができる測定データの表示方法を提供することができる。
【発明を実施するための最良の形態】
【００２３】
以下、本発明の測定装置、測定データ表示システム、及び測定データの表示方法について図１を参照して説明する。図１は本発明による測定データ表示システムの構成図である。測定データ表示システム１００は、測定装置１１０、測定装置１２０、パーソナルコンピュータ１３０からなる。
【００２４】
測定装置１１０は、データ取得手段１１１、ヘッダ情報付加手段１１２、保存手段１１３を備える。データ取得手段１１１は、図示しない被測定対象から測定データを取得する。ヘッダ情報付加手段１１２は、図２に示すヘッダ情報、すなわち測定データ取り込み開始時刻、サンプリング周期、測定装置の種類、チャンネル情報（レンジ、チャネル構成）、測定データ取り込み終了時刻等を測定データに付加する。
【００２５】
保存手段１１３は、ヘッダ情報が付加された測定データを記憶する。この保存された測定データは図示しない可搬型外部記憶装置を使用してパーソナルコンピュータ１３０に入力される。
【００２６】
パーソナルコンピュータ１３０は表示指示手段１３１、表示手段１３２を備える。表示指示手段１３１は、可搬型外部記憶装置を介して入力された測定データのヘッダ情報に基づいて表示手段１３２に対して測定データの表示方法の指示を与える。表示手段１３２は、表示指示手段１３１の命令に基づいて測定データを表示する。なお、測定装置１２０は、測定装置１１０と同一の構成からなるので説明を省略する。
【００２７】
次に、図１の動作を図３のフローチャートを参照して説明する。図３のフローチャートでは、測定装置１１０は自動車の評価試験において多点の温度を測定する多点レコーダを想定しており、測定装置１２０は自動車の評価試験において、エンジンが振動する周波数を測定するためのセンサを具備したオシロスコープを想定している。
【００２８】
データ取得手段１１１は自動車の多点の温度の取得を開始し（ステップ１）、ヘッダ情報付加手段１１２はこの測定データにヘッダ情報を付加する。データ取得手段１２１は自動車のエンジンについてオシロスコープでデータの取得を開始し（ステップ２）、ヘッダ情報付加手段１２２はこの測定データにヘッダ情報を付加する。データ取得手段１２１はエンジンのデータの取得を終了し（ステップ３）、保存手段１２３は測定データをセーブする（ステップ５）。データ取得手段１１１は自動車の多点の温度の取得を終了し（ステップ４）、保存手段１１３は測定データをセーブする（ステップ５）。
【００２９】
保存手段１１３、保存手段１２３でセーブされた測定データは、可搬型外部記憶装置を用いてパーソナルコンピュータ１３０に入力される（ステップ６）。表示指示部１３１は入力された測定データに付加されているヘッダ情報に基づいて後述する図４のように測定データ（測定波形）を表示する（ステップ７、ステップ８）。
【００３０】
次に、測定波形が表示手段１３２に表示される様子を図３、及び図４を参照して説明する。ここで、図４（ａ）は、図１の表示手段１３２によって表示された各測定データの波形であり、図４（ｂ）は区間ｂｂ’の要部拡大図である。
【００３１】
図４（ａ）における波形２００は測定装置１１０で取得された波形であって、例えば自動車の評価試験において多点レコーダを用いて測定された波形である。この波形は、測定データ取り込み開始時刻を「ａ」（ステップ１）とし、測定データ取り込み終了時刻を「ａ’」（ステップ４）とし、測定装置１１０で取得された波形である。
【００３２】
一方、波形２１０は測定装置１２０で取得された波形であって、自動車の評価試験においてオシロスコープでエンジンを測定した波形である。この波形は、測定データ取り込み開始時刻を「ｂ」（ステップ２）とし、測定データ取り込み終了時刻を「ｂ’」（ステップ３）とし、測定装置１２０で取得された波形である。
【００３３】
このように、データ取得手段１１１で取得したデータにヘッダ情報負荷手段１１２でヘッダ情報を付加し、このヘッダ情報に基づいて表示手段１３２に対して測定データの表示方法の指示を与える表示指示手段１３１を備えたので、種類の異なる測定装置である測定装置１１０、測定装置１２０で測定された測定データを、パーソナルコンピュータ１３０の表示手段１３２で同一の時間軸に表示させることができる。
【００３４】
なお、本実施例では種類が異なる測定装置を２台使用した例を説明したが、３台以上でも差し支えない。また、種類の異なる測定装置について説明したが、サンプリング周期の異なる同種の測定装置でも差し支えない。
【００３５】
また、保存手段１１３は、測定データに所定の拡張子を付けてセーブしても良い。この場合にはパーソナルコンピュータ１３０の表示指示手段１３１で拡張子を識別し、測定時間の重なる測定データがあれば同一時間軸上に波形を表示する機能としてもよい。この結果、拡張子で識別するので、測定データを迅速に表示手段１３２に表示できる。
【図面の簡単な説明】
【００３６】
【図１】本発明による測定データ表示システムの構成図である。
【図２】本発明によるヘッダ情報付加手段１１２、１２２で付加されるヘッダ情報である。
【図３】図１のフローチャートである。
【図４】（ａ）は、図１の表示手段１３２によって表示された各測定データの波形であり、（ｂ）は区間ｂｂ’の要部拡大図である。
【図５】二種類の測定装置を用いて被測定対象である自動車の評価試験を行う図面の説明図である。
【符号の説明】
【００３７】
１００            測定データ表示システム
１１０            測定装置
１１１            データ取得手段
１１２            ヘッダ情報付加手段
１１３            保存手段
１２０            測定装置
１２１            データ取得手段
１２２            ヘッダ情報付加手段
１２３            保存手段
１３０            パーソナルコンピュータ
１３１            表示指示手段
１３２            表示手段
【図１】
2007121011.tif 000003
【図２】
2007121011.tif 000004
【図３】
2007121011.tif 000005
【図４】
2007121011.tif 000006
【図５】
2007121011.tif 000007